(57)【要約】【課題】ＰＴＰシートの薬剤の取り出しを規制できるように包装することにより、薬剤の誤飲という事態を適切に回避し、安全且つ適正な薬剤の服用及び管理に寄与することを課題する。【解決手段】包装体本体が、二片を重合させて該二片間にＰＴＰシートを収納可能に構成され、且つ該ＰＴＰシートをスライド可能とすべく前記一片にはＰＴＰシートの薬剤を収容する長孔が形成されてなり、しかも該長孔に対向する前記他片の所定位置には薬剤を取り出すべく開口可能な取り出し手段を備えてなることを特徴とする。【選択図】      図１
2004299724.tif 000002
【特許請求の範囲】
【請求項１】
包装体本体が、二片を重合させて該二片間にＰＴＰシートを収納可能に構成され、且つ該ＰＴＰシートをスライド可能とすべく前記一片にはＰＴＰシートの薬剤を収容する長孔が形成されてなり、しかも該長孔に対向する前記他片の所定位置には薬剤を取り出すべく開口可能な取り出し手段を備えてなることを特徴とするＰＴＰシート用包装体。
【請求項２】
前記包装体本体に開閉自在に蓋体が設けられ、且つ該蓋体の開閉動作と前記ＰＴＰシートのスライド動作が連動するように構成されてなる請求項１記載のＰＴＰシート用包装体。
【請求項３】
前記蓋体から連結片が延設され、該連結片は、先端側が前記ＰＴＰシートに取り付けられると共に、蓋体の開閉動作に応じて湾曲又は屈曲自在に構成されてなる請求項２記載のＰＴＰシート用包装体。
【請求項４】
前記ＰＴＰシートの薬剤が取り出し手段の位置と一致したことを認識し得る確認手段を備えてなる請求項１乃至３の何れに記載のＰＴＰシート用包装体。
【請求項５】
前記取出し手段が、ミシン目を有する取り出し部である請求項１乃至４の何れかに記載のＰＴＰシート用包装体。
【発明の詳細な説明】
【０００１】
【発明の属する技術分野】
本発明は、医薬品包装の分野に於いて、固形剤包装用として一般に使用されているＰＴＰ（Ｐｒｅｓｓ  Ｔｈｒｏｕｇｈ  Ｐａｃｋａｇｅ）シートを包装するための包装体に関する。
【０００２】
【従来の技術】
従来、この種の包装体としては、例えば特許文献１所載の発明が存在する。
【０００３】
即ち、この従来の包装体は図７に示すように、相互に重合される二片２ａ，３ａ間にＰＴＰシート４ａを挟持固定して収納するものであり、その一片２ａにはＰＴＰシート４ａの薬剤６ｃを収容可能な孔２３が形成されると共に、収容された薬剤６ａに対向して他片３ａには薬剤６ｃを取り出すための取り出し孔２４が開口されている。また、各片２ａ，３ａには使用上の注意や服薬履歴等の記載が可能で、各種情報を使用者、医師、薬剤師等に確実に伝達し得るように配慮がなされている。
【０００４】
そして、実際に包装体から薬剤６ｃを取り出す場合は、包装体の一片２ａ側から薬剤６ｃを押圧することによりＰＴＰシート４ａの裏面側のアルミ箔を破って薬剤６ｃが取り出される。
【０００５】
【特許文献１】
特開平１０−５９４１５号公報
【０００６】
【発明が解決しようとする課題】
しかしながら、前記従来の包装体に於いては、薬剤６ｃを押圧するだけで容易にこれを取り出すことができるため、手が届くところに置いてあると子供等が薬剤６ｃを誤飲する危険性が高いという大なる問題点を有していたのである。
【０００７】
また、他片３ａには薬剤６ｃと対向して取り出し孔２４が設けられているので、その流通過程等に於いて薬剤６ｃが不用意に押圧力を受けて、外部へ離脱するという難点もあった。
【０００８】
それ故に、本発明は上記従来の問題点を解決すべくなされたものであり、ＰＴＰシートの薬剤の取り出しを規制できるように包装することにより、子供等の薬剤の誤飲という事態を適切に回避し、安全且つ適正な薬剤の服用及び管理に寄与することを課題とする。
【０００９】
【課題を解決するための手段】
即ち、上記課題を解決するために本発明が採った手段は、包装体本体が、二片を重合させて該二片間にＰＴＰシートを収納可能に構成され、且つ該ＰＴＰシートをスライド可能とすべく前記一片にはＰＴＰシートの薬剤を収容する長孔が形成されてなり、しかも該長孔に対向する前記他片の所定位置には薬剤を取り出すべく開口可能な取り出し手段を備えてなる点にある。
【００１０】
また、請求項２に記載の発明のように、前記包装体本体に開閉自在に蓋体を設け、且つ該蓋体の開閉動作と前記ＰＴＰシートのスライド動作が連動するように構成しても構わない。
【００１１】
そして、請求項２に記載の発明にあっては、請求項３に記載の発明の如く、前記蓋体から連結片が延設され、該連結片は、先端側が前記ＰＴＰシートに取り付けられると共に、蓋体の開閉動作に応じて湾曲又は屈曲自在に構成することが可能である。
【００１２】
更には、請求項４に記載の発明の如く、前記ＰＴＰシートの薬剤が他片に設けた取り出し手段の位置と一致したことを認識し得る確認手段を備えさせてもよい。また、前記取出し手段は例えば請求項５に記載の発明のように、ミシン目を有する取り出し部で構成することが可能である。
【００１３】
従って、上記課題を解決するための手段に於いて、ＰＴＰシートの薬剤の取り出しを規制する場合には、包装体本体に対してＰＴＰシートの薬剤を長孔に沿ってスライドさせて、該薬剤が包装体本体の他片に設けた取り出し手段の位置と一致しないように配置すればよい。一方、薬剤を取り出す場合は、該薬剤が取り出し手段と一致するようにＰＴＰシートをスライドさせた後、薬剤を押圧すれば前記取り出し手段が開口して薬剤が取り出せることとなる。
【００１４】
また、請求項２に記載の発明に於いては、蓋体の開閉動作によりこれと連動してＰＴＰシートもスライドすることとなるが、この蓋体の全開時等に薬剤と前記取り出し手段とが一致しないように設定することが可能となる。
【００１５】
そして、請求項３に記載の発明に於いては、連結片を介して蓋体の開閉動作とＰＴＰシートのスライド動作が連動するが、蓋体を閉じる際、ＰＴＰシートがある程度移動した後は、連結片が湾曲或いは屈曲して、蓋体の閉動作のみ単独で行われることとなる。そこで、蓋体の開閉動作に伴うＰＴＰシートのスライド範囲においては薬剤と取り出し手段とが一致せず、蓋体をある程度閉じた状態でＰＴＰシートをスライドさせることにより薬剤と取り出し手段とが一致するように設定することが可能となる。
【００１６】
更に、請求項４に記載の発明では、確認手段により確認しながらＰＴＰシートをスライドさせて、その薬剤と取り出し手段の位置とを一致させた後、薬剤を取り出すことができる。また、請求項５に記載した発明にあっては、薬剤を取り出すべく該薬剤を押圧すると、ミシン目が破断して取り出し部が開口されて薬剤を取り出せることとなる。
【００１７】
【発明の実施の形態】
以下、本発明の一実施形態について図面に従って説明する。
【００１８】
（第１実施形態）
図１に於いて、１は厚紙等からなる正面矩形状の包装体本体で、該包装体本体１はＰＴＰシート用包装体の展開図を示す図２のように周縁が重合接着される二片２，３からなり、該二片２，３間にはＰＴＰシート４が収納される。５…は包装体本体１に対してＰＴＰシート４がスライドできるように、その薬剤６が外部に突出した状態で収容される長孔で、包装体本体１の一片２に所定間隔を有して複数開設されている。７は前記各長孔５に対向する他片３の所定位置に形成した取り出し手段としての取り出し部を示し、外周にミシン目８が形成された構成からなり、取り出し部７は前記長孔５と対向させて複数並設されている。９は包装体本体１の一端部にヒンジ片１０を介して開閉自在に設けた蓋体であり、図２のように相互に重合接着される二片１１，１２からなる。
【００１９】
尚、本実施形態に係るＰＴＰシート用包装体は、ＰＴＰシート４の薬剤６の位置が前記取り出し部７の位置と一致したことを外部から認識し得る次のような２種類の確認手段を備えている。
【００２０】
即ち、第１の確認手段は、前記一片２の上下端部側に夫々長楕円状の確認孔１３を開設し、且つ該確認孔１３の中央を長手方向に沿ってＰＴＰシート４の上下端部が夫々配置されるように構成すると共に、該ＰＴＰシート４の所定位置に確認孔１３から目視可能な目印１４を設けて、該目印１４が確認孔１３と一致した時に前記薬剤６が取り出し部７の上方位置に配置されるようにしたものである。
【００２１】
また、第２の確認手段は、一片２の長孔５の上下内周面に複数の凸部１５を対向形成して、該凸部１５間にＰＴＰシート４の薬剤６を移動させた時に、該薬剤６の位置が前記取り出し部７の位置と一致するようにしたものである。
【００２２】
本実施形態は以上のような構成からなるが、通常は子供や高齢者等が不用意に薬剤６を取り出せないような設定にしておく。即ち、ＰＴＰシート４の目印１４が一片２の確認孔１３と一致しないように該ＰＴＰシート４の薬剤６を長孔５に沿ってスライドするか、或いは各薬剤６が長孔５の対向する凸部１５間に配置されないようにスライドさせる。これは何れを基準にして移動させてもよく、何れの場合も薬剤６が取り出し部７の位置と一致せず、他片３の存在により薬剤６を押圧してもこれを取り出すことはできない。
【００２３】
従って、子供等が不用意にＰＴＰシート４から薬剤６を取り出して誤飲するようなことを確実に防止でき、安全且つ適切に薬剤６を保護者等が管理し得ることとなる。
【００２４】
一方、薬剤６を服用すべくＰＴＰシート４から取り出す場合は、上記した操作とは逆にＰＴＰシート４の目印１４が確認孔１３と一致するように該ＰＴＰシート４の薬剤６をスライドさせるか、各薬剤６が長孔５の凸部１５間に配置されるようにスライドさせればよい。これにより薬剤６が取り出し部７の位置と一致し、薬剤６を押圧するとＰＴＰシート４の裏面のアルミ箔が破れると共に、取り出し部７の外周のミシン目８が破断して他片３に開口孔が形成され、この開口孔から薬剤６を取り出すことができる。
【００２５】
尚、この場合に於いて取り出し部７を破断するには一定以上の押圧力を要するため、子供等が一人で薬剤６を取り出すことに規制がかかり、保護者等を介して薬剤６を適切に与えることができて、誤飲防止に寄与し得ると共に、包装体の流通過程に於いても薬剤６がＰＴＰシート４から不用意に離脱するようなこともなくなる。
【００２６】
また、包装体本体１にＰＴＰシート４をセットする際には、包装体本体１の長孔５がＰＴＰシート４の各薬剤６のガイド的な役割を果たして所定位置に位置決め配置することができるため、一連の組立作業が容易に且つ効率良く行えるという製造上の利点もある。
【００２７】
尚、上記実施形態に於いては、包装体を包装体本体１と蓋体９とで構成したが、蓋体９は必要に応じて設ければよく、省略可能である。
【００２８】
また、取り出し手段としての取り出し部７の形成位置も上記実施形態に限定されるものではなく、例えば長孔５の右端や左端位置に対向して取り出し部７を設けてもよく、その具体的な位置は問わない。
【００２９】
更に、第１及び第２確認手段は必ずしも設ける必要はない。
【００３０】
（第２実施形態）
次に、ＰＴＰシート４のスライド動作が次のように蓋体８の開閉動作と連動するように構成することも可能である。尚、第１実施形態と同様の構成からなる部位については詳細な説明は省略し、以下相違点のみについて説明する。
【００３１】
図３乃至図６に於いて、１６は包装体本体１の一片２の端部中央に所定間隔を有して形成した切込を示し、該切込１６間は舌片１７のみが残るように切欠いている。１８は両端部に切込１９を入れて蓋体９の一片１１に形成した切込片で、その基端部には折り目２０が形成されている。２１は切込片１８の先端部に延設した連結片で、該連結片２１の幅は前記包装体本体１の切込１６の間隔よりも若干小なる寸法に設定されてなり、該切込１６を介して連結片２１の先端部は図５のようにＰＴＰシート４の一端部に接着される。２２は連結片２１に設けた折り目で、該折り目２２は蓋体９を閉じる際にその折り線となる蓋体９の一端部と略一致する位置に形成してなる。
【００３２】
尚、包装体本体１の他片３に設けられる取り出し部７は、蓋体９の全開及び全閉の時には薬剤６と一致しないような位置に形成しており、本実施形態では右側に位置する各薬剤６を長孔５の右端に移動した際に両者が一致するように設定している。また、蓋体９の全開時にはＰＴＰシート４の左側に位置する各薬剤６ａが長孔５の左端にスライドし、全閉時には右側の各薬剤６ｂは長孔５の中央付近まで移動するように前記連結片２１の長さ寸法を設定しており、この中央付近位置に薬剤６ｂが移動した後は、蓋体９の開閉動作とＰＴＰシート４のスライド動作は連動せず、蓋体９の開閉動作のみ単独で行われることとなる。
【００３３】
本実施形態は以上のような構成からなるが、蓋体９の全閉から全開に至る迄の間に一切薬剤６と取り出し部７とが一致することはないため、前記第１実施形態の場合と同様、薬剤６の取り出しが規制されて、子供等による薬剤６の不用意な誤飲を適切に防止することができる。
【００３４】
そして、実際に薬剤６をＰＴＰシート４から取り出して服用する場合は、図６のように蓋体９を若干開いた状態でＰＴＰシート４の薬剤６を指で矢印Ａ方向へ長孔５の右端側にスライドさせればよい。これにより、ＰＴＰシート４及び連結片２１が包装体本体１の二片２，３間をスライドすると共に、その引張力を受けて蓋体９に設けた切込片１８がその折り目２０を中心にして回動するため、右側に位置する各薬剤６ｂを長孔５の右端にまで移動させることが可能になるのである。薬剤６は上側から矢印Ｂ方向に押圧して取り出す。
【００３５】
このような薬剤６の取り出し操作を採用することにより、子供等にとっては薬剤６の取り出しが一層困難なものとなるため、より確実な誤飲防止、薬剤６の適切な管理が行えることとなる。
【００３６】
また、薬剤６を取り出した後に該薬剤６と取り出し部７とが一致しないように元の位置に戻す場合は、蓋体９を全開させればよい。その際に連結片２１は切込片１８により上向きの引張力を受けることとなるが、包装体本体１の一片２には舌片１７が設けられてなるため、該舌片１７が上向きに開いてスムースに蓋体９を全開することができると共に、包装体本体１が破断するというようなことも防止できる。
【００３７】
尚、第２実施形態に於いては、蓋体９の全閉から全開に至る迄の間に一切薬剤６と取り出し部７とが一致しないようにし、蓋体９を若干開いた状態でＰＴＰシート４の薬剤６を長孔５の右端側に移動させて初めて薬剤６と取り出し部７とが一致するように構成したため、一層確実な子供等の誤飲防止が図れるという利点が得られたが、蓋体９の全閉から全開に至る迄の間に於いて両者が一致するようにして、薬剤６を取り出せるように構成しても構わない。
【００３８】
また、該実施形態に於いても前記第１実施形態のような確認手段を設けてもよい。
【００３９】
更に、上記各実施形態に於いては、取り出し手段を外周にミシン目８が形成された取り出し部７で構成したが、例えばコの字状にミシン目を形成してもよく、要は開口可能な取り出し手段であればよい。
【００４０】
また、本発明に係る包装体が適用可能なＰＴＰシート４は上記実施形態のものに限らず、例えば薬剤を１個だけ収納したＰＴＰシート４にも幅広く適用可能である。
【００４１】
更に、包装体本体１の一片２に設けられる長孔５の長さや形状は、薬剤６の形状等に応じて適宜設定すればよく、その他包装体本体１や蓋体９の形状等の各部の構成も本発明の意図する範囲内に於いて任意に設計変更可能である。
【００４２】
【発明の効果】
以上説明したように本発明に係るＰＴＰシート用包装体は、包装体本体の二片間にＰＴＰシートをスライド可能に収納することにより、その薬剤の位置を前記包装体本体の他片に設けた取り出し手段の位置と一致させないように設定できるため、薬剤の取り出しを規制することが可能となる。従って、ＰＴＰシートを固定し且つその薬剤に対向させて取り出し孔を開口した従来の包装体とは異なり、子供等が薬剤を容易に取り出すことができなくなり、その結果、子供等による薬剤の誤飲という事態の発生を適切に回避でき、安全且つ適正な薬剤の服用及び管理が可能になるという格別の効果を得るに至ったのである。
【００４３】
また、ＰＴＰシートの流通過程等に於いても、薬剤が不用意に押圧力を受けて、外部へ離脱するという虞もなくなる。
【００４４】
更に、請求項２に記載の発明は、包装体本体に開閉自在に蓋体を設けると共に、該蓋体の開閉動作と前記ＰＴＰシートのスライド動作が連動するように構成することにより、蓋体の開放時にはＰＴＰシートの薬剤の位置と前記取り出し手段の位置とが一致しないように設定することが可能となるため、上述したと同様に薬剤の誤飲防止が図れる効果がある。
【００４５】
そして、請求項３に記載の発明は、連結片を設けることにより、蓋体の開閉動作に伴うＰＴＰシートのスライド範囲においては薬剤と取り出し手段とが一致せず、蓋体をある程度閉じた状態でＰＴＰシートをスライドさせることにより薬剤と取り出し手段とが一致するように設定することが可能となるため、薬剤の誤飲防止は勿論のこと、薬剤を容易に取り出すことができる。
【００４６】
更に、請求項４に記載の発明にあっては、ＰＴＰシートの薬剤が取り出し手段の位置と一致したことを認識し得る確認手段を備えてなるため、薬剤の取り出し時の便に供し得るという効果を奏する。
【図面の簡単な説明】
【図１】本発明の第一実施形態に係るＰＴＰシート用包装体の正面図。
【図２】同実施形態の展開図。
【図３】第２実施形態に係るＰＴＰシート用包装体の正面図。
【図４】同実施形態の展開図。
【図５】同実施形態のＰＴＰシートと連結片とを接着した状態を示す正面図。
【図６】同実施形態の薬剤の取り出し状態を示す側面図。
【図７】従来のＰＴＰシート用包装体を示す斜視図。
【符号の説明】
１…包装体本体、２…一片、３…他片、４…ＰＴＰシート、５…長孔、６…薬剤、７…取り出し部、８…ミシン目、９…蓋体
【図１】
2004299724.tif 000003
【図２】
2004299724.tif 000004
【図３】
2004299724.tif 000005
【図４】
2004299724.tif 000006
【図５】
2004299724.tif 000007
【図６】
2004299724.tif 000008
【図７】
2004299724.tif 000009